(57)【要約】      （修正有）【課題】メジャーによる測定と、必要な形状に切り取ることを一度に行うことができるメジャーを提供する。【解決手段】メジャーの目盛帯の先端に設けられるフック１が、硬磁性材料により構成される部分を含み、カッター２を収納する溝３が設けられており、前記溝３に磁性材料により構成されるカッター２が設けられている。また、フック１の先端は、柔軟部分及びカッター被覆部分を有し、非使用時はカッター２はフック１内に収納されているが、使用時に上から押圧することでカッター２がフック１外に突出する。【選択図】図１
2012163513.tif 000002
【特許請求の範囲】
【請求項１】
メジャーの目盛帯の先端にフックが設けられ、
当該フックが、
硬磁性材料により構成される部分を含み、
カッターを収納する溝が設けられており、
当該溝に磁性材料により構成されるカッターが設けられていることを特徴とするカッターを備えたメジャー。
【請求項２】
フックが、Ｔ字形状をしていることを特徴とする請求項１に記載のカッターを備えたメジャー。
【請求項３】
フックの先端は、柔軟部分及びカッター被覆部分を有し、
非使用時はカッターはフック内に収納されているが、
使用時に上から押圧することでカッターがフック外に突出することを特徴とする請求項１又は２に記載のカッターを備えたメジャー。
【請求項４】
メジャーの筺体の下部に、フックの下方端の位置と同じかそれより下に位置されるように設けられた引っかけ部が構成されていることを特徴とする請求項１から３のいずれか１項に記載のカッターを備えたメジャー。
【請求項５】
フックの角部分からカッターの先端が突出することを特徴とする請求項１から４のいずれか１項に記載のカッターを備えたメジャー。
【発明の詳細な説明】
【技術分野】
【０００１】
本発明はカッターを備えたメジャーに関する。
【背景技術】
【０００２】
従来より、測定機器としてメジャーが広く知られている。これは、目盛帯を用いて長さを測定する道具であり、巻き尺、コンベックス、スケール等、呼称は様々に用いられている。そして、一般的なメジャーの形態としては、目盛帯の先端にＬ字状フックが設けられており（例えば、特許文献１参照。）、目盛帯は手を離すと巻き戻しバネによって巻き戻されて筺体（ケース）に収納されるため、筺体には目盛帯を固定するストップが設けられている。
【０００３】
そして、住宅の内装業者などは、石膏ボードなどにメジャーで測定して線を引くか又は定規を当てて、当該線又は定規に沿ってカッター等で必要な形状に切り取ることを頻繁に行う。
しかしながら、このような作業を毎回頻繁に行うことは大変面倒であり、時間もかかる。その一方、近年のコスト圧力により、少しでも作業効率を上げることが要求されている。さらに、メジャーによる測定のあと直線をうまく引くこと、その直線に完全に合わせてカッターを入れることは難しく、品質状の問題を生じる可能性があるなどの問題点もある。
【先行技術文献】
【特許文献】
【０００４】
【特許文献１】特開２０１０−２１０６４号公報
【発明の概要】
【発明が解決しようとする課題】
【０００５】
そこで、本発明は、メジャーによる測定と、必要な形状に切り取ることを一度に行うことができるメジャーを提供することを目的とする。さらに、安全性を担保することができるメジャーを提供することを目的とする。
【課題を解決するための手段】
【０００６】
前記目的を達成するため、本発明のメジャーは、メジャーの目盛帯の先端に設けられるフックが、硬磁性材料により構成される部分を含み、カッターを収納する溝が設けられており、当該溝に磁性材料により構成されるカッターが設けられていることからなる。
また、フックが、Ｔ字形状をしていることが好適である。
また、フックの先端は、柔軟部分及びカッター被覆部分を有し、非使用時はカッターはフック内に収納されているが、使用時に上から押圧することでカッターがフック外に突出することが好適である。
また、メジャーの筺体の下部に、フックの下方端の位置と同じかそれより下に位置されるように設けられた引っかけ部が構成されていることが好適である。
また、フックの角部分からカッターの先端が突出することが好適である。
【０００７】
本発明の特徴は、目盛帯の先端のフック内に溝を設け、磁力で固定されるカッターが設けられていることにある。このために、フックの全部又は一部は硬磁性材料（磁石）で構成される。
すなわち、この構成により、メジャーによって距離を定めると、そのままの間隔を維持して、直線的に移動させることで、石膏ボードや紙などの対象部材を切り取ることができるものである。したがって、線を引いたり定規を用いる必要がなく、一度に作業を終わらせることができる。具体的には、筺体とフックをそれぞれ手で持ち、そのまま移動することで、切り取りを行うことができる。なお、切る対象は、石膏ボード、紙、布、段ボール等、何ら限定されるものではない。また、カッターは磁力で固定されているため、取り替えることが容易である。
【０００８】
フックの溝は、基本的にはカッターの形状に合わせた溝であることが好ましいが、メジャーを移動させて切り取る際にカッターがずれたり外れたりしない形状の溝であれば良い。
硬磁性材料としては、例えばフェライト磁石や、ネオジウム磁石など、一般的な磁石素材（マグネット素材）を使用することができる。また、カッターについても、一般的な磁性材料のカッターであれば良く、カッターナイフの替刃などを使用することができる。そのため、安価に製造することが出来る。
【０００９】
また、カッターナイフの替え刃を溝に納めるために、従来の一般的なＬ字形状のフックと異なり、Ｔ字形状を採用することにより、カッターを納める面積が広くなり、より大きなカッターを使用することができる。
【００１０】
本発明については以上の構成により、線を引いたり定規を用いる必要がなく、測定と同時に直線的に切り取ることができ、一度に作業を終わらせることができるものであるが、フックの先端は、柔軟部分及びカッター被覆部分を有していることが好適である。これは、常にカッターがフック外へ突出していると、対象部材を切り取る必要がない場合や、非使用時に手や部材を切ってしまう可能性があるので、そのような危険性を解消し安全性を担保するために構成されるものである。
すなわち、フックの先端には、柔軟部分とカッター被覆部分が設けられ、カッターを使用しない時には、カッターは完全にフック内に隠れた状態となっている。一方、カッターを使用する時は、フックを上から対象部材に押しつけると、柔軟部分が縮んで、その結果カッター被覆部分からカッターが突出するものである。したがって、柔軟部分は、例えばスポンジ部材や軟質ゴムなどによって製造することが出来る。カッター被覆部分については、非使用時にカッターが隠れれば良く、特に形状は限定されず、また材料については、非柔軟な素材であるプラスチックや鋼などが好ましいが、特に限定されるものではない。さらに、柔軟部分は、カッター被覆部分があってもカッターを交換することを容易にする効果も有している。
【００１１】
前述の通り、本発明においては、筺体とフックをそれぞれ手で持ち、そのまま移動することで、切り取りを行うことができるものであるが、フックをカッターとして使うと、フックを紙の端に引っかけることができない。そのため、筺体を紙の端に固定することを容易にするために、メジャーの筺体の下部に、フックの下方端の位置と同じかそれより下に位置されるように設けられた引っかけ部を構成することが好適である。これにより、筺体を紙の端に引っかけて、フックと筺体を両手に持ち、直線的に移動させることがより容易になる。このため、引っかけ部の位置は、メジャーの目盛りが始まる部分にあわせて配置されることが望ましい。また、引っかけ部は、当該目的に使用できれば、単に凸部として設けても良いし、筺体の下部全体がフックの下方端より下に位置されても良いし、必要に応じて降ろして使うヒンジ部として設けても良い。さらに、引っかけた後の移動を容易にするため、引っかけ部にベアリングやローラーを設けても良い。
【００１２】
また、フックの角部分からカッターの先端が突出することが好適である。フックに力を入れて移動させるのが容易であり、カッターと対象部材を目視するのも容易であるからである。また、カッターを使用しない時に、誤ってカッターを突出させてしまうことを防ぐのに適しているからである。
【００１３】
なお、本発明は、直線的に対象部材を切り取ることだけでなく、安全性を担保しつつ、メジャーとカッターを組み合わせた道具として、それぞれの目的に使用することも可能であることはいうまでもない。
【発明の効果】
【００１４】
本発明は、上記の構成を有するので、メジャーによる測定と、必要な形状に切り取ることを一度に行うことができる。さらに、安全性を担保することができる。
【００１５】
さらに、本発明においては、カッターを交換することが容易であり、汎用性が高く、長期的に使用可能である。このことは、石膏ボードなど硬い部材を切ると刃の消耗が早いため、コスト面で特に有利である。
【図面の簡単な説明】
【００１６】
【図１】本発明のメジャーにおけるフックを示す図である。
【図２】フックの先端を示す図である。
【図３】柔軟部分とカッター被覆部分が設けられていない状態のフックの先端を示す図である。
【図４】本発明のメジャーにおいて、筺体に引っかけ部が設けられている状態を示す図である。
【図５】本発明の使用方法を示す図である。
【発明を実施するための形態】
【００１７】
本発明の実施の形態の一例を図面に従って説明する。
図１は、本発明のメジャーにおけるフック１を示す図である。図に示すように、フック１にはカッター２とほぼ同じ形状の溝３が設けられ、カッター２が溝３の中に固定されている。Ｔ字状のフック１は磁石材料により構成されているため、磁性材料で構成されるカッター２はフック１に固定されている。
フックの先端４は、図２に示すように、スポンジ等で構成される柔軟部分５と、プラスチック等で構成されるカッター被覆部分６から構成されている。これにより、カッター２を使用しないときはカッター２はフック１に隠れているが、上から押しつけるとカッター２がフック１から突出するものである。
【００１８】
図３は、柔軟部分５と、カッター被覆部分６が設けられていない状態のフック１の先端を示しており、カッター２はフック１の角部分から突出している。このように、柔軟部分５とカッター被覆部分６を設けない場合には、フックが硬磁性材料（磁石）で作られていることを利用して、磁性材料でキャップ（図示せず）を設ける構成を取っても良い。
【００１９】
図４は、筺体８に、引っかけ部９が設けられている状態を示す図である。本発明のメジャーの使用方法としては、石膏ボードなど対象部材の端部に筺体８の引っかけ部９を付け、フック１を摘んで目盛帯７を延ばして、必要とされる長さまで位置決めする。その後、フック１を対象部材に押圧してカッター２を突出させて、筺体８とカッター９を一緒に移動させて、直線的に対象部材を切り取ることができる。また、カッター２は磁力によって固定されているので、引っ張って取り外し、新たな替え刃に入れ替えて使用することができる。
【００２０】
図５は、本発明の使用方法を示した図である。石膏ボード１０に目盛帯７を延ばしてメジャーを当て、フック１と筺体８をそれぞれ手に持ち、フック１を石膏ボード１０に押しつけてカッター２を突出させ、距離を固定したまま矢印方向に移動させることで、直線的に石膏ボード１０を切り取ることが出来る。この際、引っかけ部９を石膏ボード１０の一辺に引っかければ、手ぶれをおこさずにメジャーを移動させることが容易となる。
【符号の説明】
【００２１】
１  フック
２  カッター
３  溝
４  フックの先端
５  柔軟部分
６  カッター被覆部分
７  目盛帯
８  筺体
９  引っかけ部
１０  石膏ボード
【図１】
2012163513.tif 000003
【図２】
2012163513.tif 000004
【図３】
2012163513.tif 000005
【図４】
2012163513.tif 000006
【図５】
2012163513.tif 000007